(57)【要約】      （修正有）【課題】運動量に応じて特典を得ることおよび、運動した履歴を一覧で見たり会員間でのランキングを見ることにより運動するやる気を起こす意識付け（インセンティブ）を提供する。【解決手段】データ通信機能を持つ運動器具３または測定器具を利用した際、運動量、時間、強弱、脈拍、血圧、体重などの情報をインターネット２を介して通信し、本部サーバーシステム１はその消費カロリーに応じて現金またはポイントに換算して、会員にキャッシュバックまたはポイントを与える。本部サーバーシステムは上記の運動情報を計算し整理しＷＥＢ上に表示する。会員は日々の運動の蓄積されたデータおよび他の会員との中でのランキングデータをパソコン４上の表やグラフで閲覧、確認できる。【選択図】図１
2005038366.tif 000002
【特許請求の範囲】
【請求項１】
利用者が（以下会員と称す）、データ通信のインターフェイスを有する運動器具またはメモリー蓄積装置あるいは書き込み装置を付随した運動器具を利用した際、運動量、時間、強弱、脈拍、血圧、体重などの情報をインターネットを介して通信し、本部サーバーシステムはその消費カロリーに応じて現金またはポイントに換算する。本部は上記の情報を収集し計算して、会員にキャッシュバックまたはポイント、サービスや優遇および表彰を与えるシステム。
【請求項２】
本部サーバーシステムは上記の運動情報を計算し整理しＷＥＢ上に表示する。会員は日々の運動の蓄積されたデータおよび他の会員との中でのランキングデータを表やグラフで閲覧、確認できるシステム。
【請求項３】
万歩計、縄跳び、ダンベル、腹筋台、室内トレーニングマシン、室内ランニングマシン、室内自転車運動器具、ゴルフクラブ、バット、ラケットおよび自転車などの運動器具や測定器具にその利用頻度を計測してインターネットに接続するための装置を設ける。又内蔵メモリ、メモリ書き込み装置を設けても良い。
【発明の詳細な説明】
【発明の詳細な説明】
【技術分野】
【０００１】  この発明は、健康増進やダイエットのコンサルティングにおいて、運動量に応じて特典を得ることおよび、運動した履歴を一覧で見たりライバル内でのランキングを見ることにより運動する動機付け、やる気を起こす意識付け（インセンティブ）に関するものである。
【背景技術】
【０００２】  運動器具は単調な運動のため、さぼりがちとなり効果を得にくい。【０００３】  特許出願公開２００３−３６３１５では、提携している企業や店舗などでの特典付与だけであるので動機付けとしては曖昧であった。わざわざ他の企業、店舗などへ出向いたり、利用したりなどが必要なことが当然予想される。欲しいと思わない商品やポイントを得るに過ぎない場合もある。【０００４】  運動した毎日の情報を整理してＷＥＢやパソコン上に表示して運動の目安にできるインターネットを介したシステムはなかった。【０００５】  在宅で他の会員などの中でのランキングを見るなどのシステムもなかった。
【発明が解決しようとする課題】
【０００６】  健康維持、腰痛対策や体力強化ひいては痩せるために運動をする際に、運動器具を用いることが多い。しかし継続できない例が多い。運動する励みが乏しかったからである。運動に応じた報酬として特典を本部から直接会員に対し付与するシステムもなかった。
【０００７】  これまでの運動量を体系的時系列的にデータを保存し一覧表示できるシステムはなかった。
【０００８】  他の会員との間でのランキングなどを収集し集計して一覧表示するシステムもなかった。
【課題を解決するための手段】
【０００９】  サーバーは会員が運動器具を利用した際、運動量、時間、強弱、消費カロリーおよび脈拍、血圧などの情報をインターネットを介して収集保存する。またはメモリーを介してデータを取り込み収集分析保存する。
【００１０】  本部サーバー内プログラムはその情報から消費カロリーを計算し、現金またはポイントや特典に換算する。本部は上記の情報を収集し計算して、会員にキャッシュバックまたはポイント、サービスや優遇を与えたり、表彰する。
【００１１】  本部は上記の運動情報を計算し整理しＷＥＢ上に表示する。会員はパスワードにより、自分の日々の運動の蓄積されたデータを閲覧できる。
【００１２】  および他の会員との中でのランキングデータを表やグラフで確認できる。
【００１３】  この発明によれば、インターネットを介する場合においては運動したデータを収集し本部に送るなどの作業を一切意識せずにただ運動するだけで、すべてのデータが本部に収集され、計算結果によりキャッシュバックや表彰などの特典を得られるので運動する励み（インセンティブ）になる。
【００１４】  日々の運動量や脈拍や血圧などのデータをＷＥＢ上にて確認できるので、運動の目安になり励み（インセンティブ）にもなる。
【００１５】  また、この発明によれば、ＷＥＢ上で自分の会員内でのランキングがわかるので運動する励みになる。表彰を受けることもできてさらに励みになる。
【図面の簡単な説明】
【図１】運動インセンティブシステムの概要図である。
【図２】本部システムの役割を示す
【図３】本システムの流れ図
【符号の説明】
［書類名］運動インセンティブ概要図面【図１】１・・・本部システム                      ４・・・ＷＥＢ閲覧パソコン２・・・インターネット網３・・・運動器具
【図１】
2005038366.tif 000003
【図２】
2005038366.tif 000004
【図３】
2005038366.tif 000005
【手続補正書】
【提出日】平成15年7月24日(2003.7.24)
【手続補正１】
【補正対象書類名】特許請求の範囲
【補正対象項目名】全文
【補正方法】変更
【補正の内容】
【特許請求の範囲】
【請求項１】
識別符号を持つ利用会員が、データ通信のインターフェイス又は通信装置そのものを有する運動器具または測定器具を利用した際、あるいはメモリーまたはメモリー書き込み装置を有する運動器具または測定器具を利用した際、本部サーバー内プログラムは運動量、回数、時間、強弱、脈拍、血圧、体重、体脂肪などの情報をインターネットまたは公衆回線や携帯電話を介し、自動で収集し計算して、運動達成量及び身体情報の目標数値達成に応じて個々の会員にキャッシュバックまたはポイント、サービスや優遇および表彰を与えるシステム。
【請求項２】
あらかじめ金額を決めておき、運動達成量及び身体情報の目標数値達成に応じて減額して請求する、後払い方式のシステム。
【請求項３】
収集した情報を計算し、会員ごとの実績および全体の実績やランキングを表やグラフでＷＥＢ上に表示するシステム。
【請求項４】
万歩計、体重計、体脂肪計、縄跳び、ダンベル、腹筋台、室内トレーニングマシン、室内ランニングマシン、室内自転車運動器具、ゴルフクラブ、バット、ラケットおよび自転車などの運動器具や測定器具に、その情報をインターネットまたは公衆回線や携帯電話に接続し通信するためのインターフェイスまたは装置を設けたもの。又は内蔵メモリ、メモリ書き込み装置を設けたもの。
【手続補正２】
【補正対象書類名】明細書
【補正対象項目名】全文
【補正方法】変更
【補正の内容】
【発明の詳細な説明】
【発明の詳細な説明】
【０００１】
【産業上の利用分野】
この発明は、トレーニングバイク等の運動器具や、万歩計体重計などの測定器具の通信機能及びその利用方法に関する。
【０００２】
【背景技術】  運動器具や測定器具は単調な運動のため、継続が困難で効果を得にくい。【０００３】  特許出願公開２００３−０３６３１５では、提携している企業や店舗などでの特典付与だけである。【０００４】  運動した実績や血圧や脈拍など身体情報をＷＥＢ画面などで手動で入力し、自己申告するため誤りや意図的な違いが生ずる問題があった。【０００５】  個人の実績を自動でＷＥＢに表示するシステムがなかった。【０００６】  他の会員などの中でのランキングを自動で表示するシステムもなかった。【０００７】
【発明が解決しようとする課題】
運動する励みは悪魔でも本人のやる気だけであり、支援がない問題があった。
【０００８】  特許出願公開２００３−０３６３１５では、提携している企業や店舗などでの特典付与だけであるので動機付けとしては曖昧であった。わざわざ他の企業、店舗などへ出向いたり、利用したりなどが必要なことが当然予想される。欲しいと思わない商品やポイントを得るに過ぎない問題もある。
【０００９】  運動情報や身体情報をパソコンから手動で入力するのでなく、自動で収集保存できるシステムを提供する。
【００１０】  運動達成量及び身体情報の目標数値達成に応じて個々の会員にキャッシュバックまたはポイント、サービスや優遇および表彰を与えるシステムを提供する。
【００１１】  運動達成量及び身体情報の目標数値達成に応じて減額して請求する、後払い方式の運動インセンティブシステムを提供する。
【００１２】  個々の会員の運動情報、身体情報などを収集し集計してＷＥＢ上に一覧表示するシステムを提供する。
【００１３】  他の会員間でのランキングなどを収集し集計して一覧表示するシステムを提供する。
【００１４】
【課題を解決するための手段】
本部サーバー内プログラムは会員が運動器具または測定器具を利用した際、その情報をインターネットまたは公衆回線や携帯電話を介して自動で収集保存する。またはメモリーを介してデータを取り込み収集保存する。
【００１５】  本部サーバー内プログラムは金額またはポイントや特典に換算する。本部は会員にキャッシュバックまたは減額やポイント、サービスや優遇を与えたり、表彰する。
【００１６】  本部サーバー内プログラムは金額に換算する。本部は会員に減額した会費等を後日請求する。
【００１７】  本部サーバー内プログラムは運動達成量及び身体情報をＷＥＢ上に表示する。
【００１８】  他の会員のデータを表やグラフやランキングでＷＥＢ上に表示する。
【００１９】
【作用】
本部システムは種々の通信手段を通じて運動器具や測定器具から会員の情報を得てその実績に応じて特典を還元するので、運動する励みを与える。
【００２０】運動達成量及び身体情報がＷＥＢ上に表示されるので、運動や食事制限の目安になる。
【００２１】  他の会員のデータが表やグラフやランキングでＷＥＢ上に表示されるので、運動や食事制限の励みになる。
【００２２】
【実施例】  図１において３の運動器具および５の測定器具はメモリーや通信手段２を介して本部システムに情報を送る。【００２３】  図２において本部システム内キャッシュバック等計算プログラムは運動や身体情報の達成値を金額換算する。【００２４】  図３において本部はキャッシュバックなどを行う。【００２５】  図２において本部システム内ＷＥＢ作成プログラムは運動や身体情報の達成値をＷＥＢ上に表示する。【００２６】
【発明の効果】
インターネットまたは公衆回線や携帯電話を介する場合においては運動したデータを収集し本部に送るなどの作業を一切意識せずにただ運動するだけで、すべてのデータが本部に収集され、計算結果によりキャッシュバックや表彰などの特典を得られるので運動する励み（インセンティブ）になる。
【００２７】  日々の運動量や脈拍や血圧などのデータをＷＥＢ上にて確認できるので、運動や食事制限の目安になり励み（インセンティブ）にもなる。
【００２８】  また、この発明によれば、ＷＥＢ上で自分の会員内でのランキングがわかるので運動や食事制限の励みになる。表彰を受けることもできてさらに励みになる。
【図面の簡単な説明】
【図１】運動インセンティブシステムの概要図である。
【図２】本部システムの役割を示す
【図３】本システムの流れ図
【符号の説明】
１・・・本部サーバーシステム
２・・・インターネット網
３・・・運動器具
４・・・ＷＥＢ閲覧・データ通信パソコン
５・・・測定器具（万歩計）
６・・・測定器具（体重計・体脂肪計）
７・・・携帯電話
８・・・公衆回線網
９・・・メモリ書き込み読み込み装置
１０・・メモリ
【手続補正３】
【補正対象書類名】図面
【補正対象項目名】全文
【補正方法】変更
【補正の内容】
【図１】
2005038366.tif 000006
【図２】
2005038366.tif 000007
【図３】
2005038366.tif 000008